【手続補正書】
【提出日】平成26年10月7日(2014.10.7)
【手続補正１】
【補正対象書類名】特許請求の範囲
【補正対象項目名】全文
【補正方法】変更
【補正の内容】
【特許請求の範囲】
【請求項１】
患者の皮膚部位から体液を採取する持ち運び可能な携帯型の医療診断装置（１０）であって、
保護筐体（１４）と、
生理学的測定を容易にするための制御装置を含む測定システム（３２）と、
前記測定システム（３２）に接続され、前記生理学的測定に関する情報を表示する表示装置（１２）と、
皮膚穿刺端（９０；４０８；４３４；４６２；５０８；６０８）および該皮膚穿刺端（９０；４０８；４３４；４６２；５０８；６０８）に隣接する血液輸送部（９２；４１０；４６４；５１０；６１０）を有する細長いランセット構造（２４；４０６；４３２；４５０；５０６；６０６）であって、前記皮膚穿刺端（９０；４０８；４３４；４６２；５０８；６０８）は、変位されると、前記皮膚部位から一定量の体液を生じさせるために前記皮膚部位で切開部を作るように構成され、前記血液輸送部（９２；４１０；４６４；５１０；６１０）は、前記生理学的測定を行うときに前記測定システム（３２）により使用するために、前記一定量の体液を前記皮膚部位から離れた方向へと運ぶように構成される、細長いランセット構造（２４；４０６；４３２；４５０；５０６；６０６）と、
前記ランセット構造（２４；４０６；４３２；４５０；５０６；６０６）に操作可能に接続されるバネ駆動モータアセンブリ（１４４）であって、前記一定量の体液を生じさせる前記切開部を作るために前記ランセット構造を皮膚部位に向けて変位させるように構成され、前記一定量の体液を前記皮膚部位から離れた方向へ運ぶために前記ランセット構造（２４；４０６；４３２；４５０；５０６；６０６）を後退させるように構成されるバネ駆動モータアセンブリ（１４４）と、
前記ランセット構造（２４；４０６；４３２；４５０；５０６；６０６）が前記皮膚部位から前記保護筐体（１４）へと後退させられるときに前記ランセット構造（２４；４０６；４３２；４５０；５０６；６０６）を減速させるために、前記バネ駆動モータアセンブリ（１４４）が前記ランセット構造（２４；４０６；４３２；４５０；５０６；６０６）を後退させるときに、前記バネ駆動モータアセンブリ（１４４）と係合するように構成される速度制御機構（３６）と
を備える医療診断装置（１０）。
【請求項２】
前記速度制御機構（３６）が、前記ランセット構造（２４；４０６；４３２；４５０；５０６；６０６）が前記皮膚部位から離れた方向に運ばれるときに前記バネ駆動モータアセンブリ（１４４）と係合する係合ギア（３６４）を含むギアボックスを備える請求項１記載の医療診断装置（１０）。
【請求項３】
前記バネ駆動モータアセンブリ（１４４）が、前記係合ギア（３６４）と係合し、寸法の増加を提供する偏心部材（３７２）を有するバネホイールアセンブリ（１６８）を備える請求項２記載の医療診断装置（１０）。
【請求項４】
前記ギアボックスが、前記係合ギア（３６４）に接続され、前記係合ギア（３６４）と係合されると前記バネホイールアセンブリ（１６８）を減速させるフライホイール（３７４）を備える請求項３記載の医療診断装置（１０）。
【請求項５】
前記ランセット構造（２４；４０６；４３２；４５０；５０６；６０６）が、延出段階の間に加速し、後退段階の間に減速する請求項１〜４のいずれか１項に記載の医療診断装置（１０）。
【請求項６】
前記後退段階の間の時間に対する前記延出段階の間の時間の比が、少なくともほぼ１：２５である請求項５記載の医療診断装置（１０）。
【請求項７】
複数のランセット区画（４０；４０５；４４４；４５８；５０５；６０５）を備えるランセットハウジングアセンブリ（３０；４００；４３０；４５２；５００；６００）をさらに備える請求項１〜６のいずれか１項に記載の医療診断装置（１０）。
【請求項８】
持ち運び可能な携帯型の診断装置（１０）と共に使用するランセット構造（２４；４０６；４３２；４５０；５０６；６０６）の穿刺速度を制御するためのランセット制御システムであって、
皮膚穿刺端（９０；４０８；４３４；４６２；５０８；６０８）および該皮膚穿刺端（９０；４０８；４３４；４６２；５０８；６０８）に隣接する血液輸送部（９２；４１０；４６４；５１０；６１０）を有する細長いランセット構造（２４；４０６；４３２；４５０；５０６；６０６）であって、前記皮膚穿刺端（９０；４０８；４３４；４６２；５０８；６０８）は、変位されると、皮膚部位から一定量の体液を生じさせるために前記皮膚部位で切開部を作るように構成され、前記血液輸送部（９２；４１０；４６４；５１０；６１０）は、生理学的測定を行うときに測定システム（３２）により使用するために、前記一定量の体液を前記皮膚部位から離れた方向へと運ぶように構成される、細長いランセット構造（２４；４０６；４３２；４５０；５０６；６０６）と、
前記ランセット構造（２４；４０６；４３２；４５０；５０６；６０６）に操作可能に接続されるバネ駆動モータアセンブリ（１４４）であって、前記一定量の体液を生じさせる前記切開部を作るために前記ランセット構造（２４；４０６；４３２；４５０；５０６；６０６）を前記皮膚部位に向けて変位させるように構成され、前記一定量の体液を前記皮膚部位から離れた方向へ運ぶために前記ランセット構造（２４；４０６；４３２；４５０；５０６；６０６）を後退させるように構成されるバネ駆動モータアセンブリ（１４４）と、
前記ランセット構造（２４；４０６；４３２；４５０；５０６；６０６）が前記皮膚部位から離れて後退させられるときに前記ランセット構造（２４；４０６；４３２；４５０；５０６；６０６）を減速させるために、前記バネ駆動モータアセンブリ（１４４）が前記ランセット構造（２４；４０６；４３２；４５０；５０６；６０６）を後退させるときに前記バネ駆動モータアセンブリ（１４４）と係合するように構成される速度制御機構（３６）と
を備えるランセット制御システム。
【請求項９】
前記速度制御機構（３６）が、前記ランセット構造（２４；４０６；４３２；４５０；５０６；６０６）が前記皮膚部位から離れた方向に運ばれるときに前記バネ駆動モータアセンブリ（１４４）と係合する係合ギア（３６４）を含むギアボックスを備える請求項８記載のランセット制御システム。
【請求項１０】
前記バネ駆動モータアセンブリ（１４４）が、前記係合ギア（３６４）と係合し、寸法の増加を提供する偏心部材（３７２）を有するバネホイールアセンブリ（１６８）を備える請求項９記載のランセット制御システム。
【請求項１１】
前記ギアボックスが、前記係合ギア（３６４）に接続され、前記係合ギア（３６４）と係合されると前記バネホイールアセンブリ（１６８）を減速させるフライホイール（３７４）を備える請求項１０記載のランセット制御システム。
【請求項１２】
前記ランセット構造（２４；４０６；４３２；４５０；５０６；６０６）が、延出段階の間に加速し、後退段階の間に減速する請求項８〜１１のいずれか１項に記載のランセット制御システム。
【請求項１３】
前記後退段階の間の時間に対する前記延出段階の間の時間の比が、少なくともほぼ１：２５である請求項１２記載のランセット制御システム。
【請求項１４】
複数のランセット区画（４０；４０５；４４４；４５８；５０５；６０５）を備えるランセットハウジングアセンブリ（３０；４００；４３０；４５２；５００；６００）をさらに備える請求項８〜１３のいずれか１項に記載のランセット制御システム。
【請求項１５】
持ち運び可能な携帯型の医療診断装置（１０）のランセット構造（２４；４０６；４３２；４５０；５０６；６０６）の穿刺速度を制御する方法であって、
皮膚穿刺端（９０；４０８；４３４；４６２；５０８；６０８）および該皮膚穿刺端（９０；４０８；４３４；４６２；５０８；６０８）に隣接する血液輸送部（９２；４１０；４６４；５１０；６１０）を有する細長いランセット構造（２４；４０６；４３２；４５０；５０６；６０６）を設けることであって、前記皮膚穿刺端（９０；４０８；４３４；４６２；５０８；６０８）は、変位されると、皮膚部位から一定量の体液を生じさせるために前記皮膚部位で切開部を作り、前記血液輸送部（９２；４１０；４６４；５１０；６１０）は、生理学的測定を行うときに測定システム（３２）により使用するために、前記一定量の体液を前記皮膚部位から離れた方向へと運ぶ、細長いランセット構造（２４；４０６；４３２；４５０；５０６；６０６）を設けること、
前記一定量の体液を生じさせる前記切開部を作るために前記ランセット構造（２４；４０６；４３２；４５０；５０６；６０６）を前記皮膚部位に向けて変位させ、前記一定量の体液を前記皮膚部位から離れた方向へ運ぶために前記ランセット構造（２４；４０６；４３２；４５０；５０６；６０６）を後退させるバネ駆動モータアセンブリ（１４４）を、前記ランセット構造（２４；４０６；４３２；４５０；５０６；６０６）に操作可能に接続すること、および
前記バネ駆動モータアセンブリ（１４４）が前記ランセット構造（２４；４０６；４３２；４５０；５０６；６０６）を後退させるときに速度制御機構（３６）を前記バネ駆動モータアセンブリ（１４４）と係合させ、それにより前記ランセット構造（２４；４０６；４３２；４５０；５０６；６０６）が前記皮膚部位から離れて後退させられるときに前記ランセット構造（２４；４０６；４３２；４５０；５０６；６０６）を減速させること
を備える方法。
【請求項１６】
前記速度制御機構（３６）が、前記ランセット構造（２４；４０６；４３２；４５０；５０６；６０６）が前記皮膚部位から離れた方向に運ばれるときに前記バネ駆動モータアセンブリ（１４４）と係合する係合ギア（３６４）を含むギアボックスを備える請求項１５記載の方法。
【請求項１７】
前記バネ駆動モータアセンブリ（１４４）が、前記係合ギア（３６４）と係合し、寸法の増加を提供する偏心部材（３７２）を有するバネホイールアセンブリ（１６８）を備える請求項１６記載の方法。
【請求項１８】
前記ギアボックスが、前記係合ギア（３６４）に接続され、前記係合ギア（３６４）と係合されると前記バネホイールアセンブリ（１６８）を減速させるフライホイール（３７４）を備える請求項１７記載の方法。
【請求項１９】
前記ランセット構造（２４；４０６；４３２；４５０；５０６；６０６）が、延出段階の間に加速し、後退段階の間に減速する請求項１５〜１８のいずれか１項に記載の方法。
【請求項２０】
前記後退段階の間の時間に対する前記延出段階の間の時間の比が、少なくともほぼ１：２５である請求項１９記載の方法。